(57)【特許請求の範囲】
【請求項１】
越流堰を可動とした雨水吐室を備え、雨水吐室に流入する下水の汚濁負荷量Ｍｐおよび雨水吐室から下水処理場へ送られる、雨水吐室に接続した遮集管を流れる下水の汚濁負荷量積算値ＳＭｐ１を計測し、
前記雨水吐室に流入する下水の汚濁負荷量Ｍｐが予め定めた上限値Ｍｐ＊を上回ったときは、越流堰高さＨｇをＨｈｉｇｈ、
前記雨水吐室に流入する下水の汚濁負荷量Ｍｐが予め定めた上限値Ｍｐ＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【請求項２】
越流堰を可動とした雨水吐室を備え、雨水吐室に流入する下水の汚濁負荷量積算値ＳＭｐおよび雨水吐室から下水処理場へ送られる、雨水吐室に接続した遮集管を流れる下水の汚濁負荷量積算値ＳＭｐ１を計測し、
前記雨水吐室に流入する下水の汚濁負荷量積算値ＳＭｐが予め定めた上限値ＳＭｐ＊を上回ったときは、越流堰高さＨｇをＨｈｉｇｈ、
前記雨水吐室に流入する下水の汚濁負荷量積算値ＳＭｐが予め定めた上限値ＳＭｐ＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【請求項３】
越流堰を可動とした雨水吐室を備え、雨水吐室と河川とを接続する管路を流れる下水の汚濁負荷量Ｍｐ２および
雨水吐室から下水処理場へ送られる、雨水吐室に接続した遮集管を流れる下水の汚濁負荷量積算値ＳＭｐ１を計測し、
前記雨水吐室と河川とを接続する管路を流れる下水の汚濁負荷量Ｍｐ２が予め定めた上限値Ｍｐ２＊を上回ったときは、越流堰高さＨｇをＨｈｉｇｈ、
前記雨水吐室と河川とを接続する管路を流れる下水の汚濁負荷量Ｍｐ２が予め定めた上限値Ｍｐ２＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【請求項４】
越流堰を可動とした雨水吐室を備え、雨水吐室と河川とを接続する管路を流れる下水の汚濁負荷量積算値ＳＭｐ２および
雨水吐室から下水処理場へ送られる、雨水吐室に接続した遮集管を流れる下水の汚濁負荷量積算値ＳＭｐ１を計測し、
前記雨水吐室と河川とを接続する管路を流れる下水の汚濁負荷量積算値ＳＭｐ２が予め定めた上限値ＳＭｐ２＊を上回ったときは、越流堰高さＨｇをＨｈｉｇｈ、
前記雨水吐室と河川とを接続する管路を流れる下水の汚濁負荷量積算値ＳＭｐ２が予め定めた上限値ＳＭｐ２＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【請求項５】
越流堰を可動とした雨水吐室を備え、雨水吐室から下水が越流する河川の汚濁負荷量Ｍｐ３および
雨水吐室から下水処理場へ送られる、雨水吐室に接続した遮集管を流れる下水の汚濁負荷量積算値ＳＭｐ１を計測し、
前記雨水吐室から下水が越流する河川の汚濁負荷量Ｍｐ３が予め定めた上限値Ｍｐ３＊を上回ったときは、越流堰高さＨｇをＨｈｉｇｈ、
前記雨水吐室から下水が越流する河川の汚濁負荷量Ｍｐ３が予め定めた上限値Ｍｐ３＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【請求項６】
越流堰を可動とした雨水吐室を備え、雨水吐室から下水が越流する河川の汚濁負荷量積算値ＳＭｐ３および
雨水吐室から下水処理場へ送られる、雨水吐室に接続した遮集管を流れる下水の汚濁負荷量積算値ＳＭｐ１を計測し、
前記雨水吐室から下水が越流する河川の汚濁負荷量積算値ＳＭｐ３が予め定めた上限値ＳＭｐ３＊を上回ったときは、越流堰高さＨｇをＨｈｉｇｈ、
前記雨水吐室から下水が越流する河川の汚濁負荷量積算値ＳＭｐ３が予め定めた上限値ＳＭｐ３＊を下回ったときは、越流堰高さＨｇをＨｌｏｗとし、前記ＨｈｉｇｈおよびＨｌｏｗが、Ｈｈｉｇｈ＞Ｈｌｏｗを満たし、
前記遮集管を流れる下水の汚濁負荷量積算値ＳＭｐ１が予め定めた上限値ＳＭｐ１＊に達した場合は、強制的に越流堰高さＨｇをＨｌｏｗとすることを特徴とする下水排除システム。
【発明の詳細な説明】
【０００１】
【発明の属する技術分野】
本発明は下水排除システムに関する。
【０００２】
【従来の技術】
「合流式下水道の雨天時越流水についての調査（東京都下水道局技術調査報告書、昭和６１年３月）」にも記載されているように、下水の排除方式には合流式と分流式がある。分流式下水道では雨水と汚水を別々の系統で排除するのに対し、合流式下水道では、雨水と汚水とを同一の管渠で排除している。
【０００３】
このため、合流式下水道では、雨天時に下水量が急増する。そこで、管渠ならびに下水処理場への負荷の急増を防ぐために、一定量をこえる下水を河川に直接放流するような機構を備えるのが一般的である。以下、この機構の構成と動作を図６５に基づいて説明する。
【０００４】
図６５は従来の合流式下水道の一例を示す構成図である（たとえば特開平９−２０９４３４号公報参照）。図６５において、１は下水を下水処理場へ送るための遮集管である。２は河川である。３は雨水と汚水を受け入れる幹線である。４は河川２に直接放流する下水と遮集管１に流す下水とを分離するための越流堰を備えた雨水吐室である。また、５は雨水吐室４と遮集管１とを接続する管路であり、６は雨水吐室４と河川２とを接続する管路である。
【０００５】
つぎに動作について説明する。
【０００６】
前記幹線３に受け入れられた雨水と汚水は、雨水吐室４で河川２に直接放流する分と遮集管１に流す分とに分離される。具体的には、雨水吐室４に備えられた越流堰によって、該堰の高さをこえた分は管路６を介して河川２に流され、該堰をこえない分は管路５を介して遮集管１に流される。
【０００７】
【発明が解決しようとする課題】
前記従来の合流式下水道はかかる動作により、雨天時の下水の一部を河川に直接放流していた。初期の雨水は路面や管渠内に堆積していた汚濁物を多量に含むため、これを未処理のまま河川に放流すると河川の水質を著しく悪化させるという問題がある。もちろん越流堰を高くすれば河川への流出量は低減できるが、そうすると今度は下水処理場への流入量が増加し、場合によっては許容負荷をこえてしまうという問題がある。
【０００８】
本発明は、かかる問題点を解決するためになされたもので、河川水質を悪化させることなく、また下水処理場への流入下水量を増大させることなく雨天時の下水を排除できる下水排除システムを提供することを目的とする。
【０００９】
【課題を解決するための手段】
本発明の請求項１にかかわる下水排除システムは、越流堰を可動とした雨水吐室を備え、雨水吐室に流入する下水の汚濁負荷量Ｍｐおよび雨水吐室から下水処理場へ送られる、雨水吐室に接続した遮集管を流れる下水の汚濁負荷量積算値ＳＭｐ１を計測し、前記雨水吐室に流入する下水の汚濁負荷量Ｍｐが予め定めた上限値Ｍｐ＊を上回ったときは、越流堰高さＨｇをＨｈｉｇｈ、前記雨水吐室に流入する下水の汚濁負荷量Ｍｐが予め定めた上限値Ｍｐ＊を下回ったときは、越流堰高さＨｇをＨｌｏｗとするが、前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１０】
本発明の請求項２にかかわる下水排除システムは、越流堰を可動とした雨水吐室を備え、雨水吐室に流入する下水の汚濁負荷量積算値ＳＭｐおよび雨水吐室から下水処理場へ送られる、雨水吐室に接続した遮集管を流れる下水の汚濁負荷量積算値ＳＭｐ１を計測し、前記雨水吐室に流入する下水の汚濁負荷量積算値ＳＭｐが予め定めた上限値ＳＭｐ＊を上回ったときは、越流堰高さＨｇをＨｈｉｇｈ、前記雨水吐室に流入する下水の汚濁負荷量積算値ＳＭｐが予め定めた上限値ＳＭｐ＊を下回ったときは、越流堰高さＨｇをＨｌｏｗとするが、前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１１】
本発明の請求項３にかかわる下水排除システムは、越流堰を可動とした雨水吐室を備え、雨水吐室と河川とを接続する管路を流れる下水の汚濁負荷量Ｍｐ２および雨水吐室から下水処理場へ送られる、雨水吐室に接続した遮集管を流れる下水の汚濁負荷量積算値ＳＭｐ１を計測し、前記雨水吐室と河川とを接続する管路を流れる下水の汚濁負荷量Ｍｐ２が予め定めた上限値Ｍｐ２＊を上回ったときは、越流堰高さＨｇをＨｈｉｇｈ、前記雨水吐室と河川とを接続する管路を流れる下水の汚濁負荷量Ｍｐ２が予め定めた上限値Ｍｐ２＊を下回ったときは、越流堰高さＨｇをＨｌｏｗとするが、前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１２】
本発明の請求項４にかかわる下水排除システムは、越流堰を可動とした雨水吐室を備え、雨水吐室と河川とを接続する管路を流れる下水の汚濁負荷量積算値ＳＭｐ２および雨水吐室から下水処理場へ送られる、雨水吐室に接続した遮集管を流れる下水の汚濁負荷量積算値ＳＭｐ１を計測し、前記雨水吐室と河川とを接続する管路を流れる下水の汚濁負荷量積算値ＳＭｐ２が予め定めた上限値ＳＭｐ２＊を上回ったときは、越流堰高さＨｇをＨｈｉｇｈ、前記雨水吐室と河川とを接続する管路を流れる下水の汚濁負荷量積算値ＳＭｐ２が予め定めた上限値ＳＭｐ２＊を下回ったときは、越流堰高さＨｇをＨｌｏｗとするが、
前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１３】
本発明の請求項５にかかわる下水排除システムは、越流堰を可動とした雨水吐室を備え、雨水吐室から下水が越流する河川の汚濁負荷量Ｍｐ３および雨水吐室から下水処理場へ送られる、雨水吐室に接続した遮集管を流れる下水の汚濁負荷量積算値ＳＭｐ１を計測し、前記雨水吐室から下水が越流する河川の汚濁負荷量Ｍｐ３が予め定めた上限値Ｍｐ３＊を上回ったときは、越流堰高さＨｇをＨｈｉｇｈ、前記雨水吐室から下水が越流する河川の汚濁負荷量Ｍｐ３が予め定めた上限値Ｍｐ３＊を下回ったときは、越流堰高さＨｇをＨｌｏｗとするが、前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１４】
本発明の請求項６にかかわる下水排除システムは、越流堰を可動とした雨水吐室を備え、雨水吐室から下水が越流する河川の汚濁負荷量積算値ＳＭｐ３および雨水吐室から下水処理場へ送られる、雨水吐室に接続した遮集管を流れる下水の汚濁負荷量積算値ＳＭｐ１を計測し、前記雨水吐室から下水が越流する河川の汚濁負荷量積算値ＳＭｐ３が予め定めた上限値ＳＭｐ３＊を上回ったときは、越流堰高さＨｇをＨｈｉｇｈ、前記雨水吐室から下水が越流する河川の汚濁負荷量積算値ＳＭｐ３が予め定めた上限値ＳＭｐ３＊を下回ったときは、越流堰高さＨｇをＨｌｏｗとするが、前記ＨｈｉｇｈおよびＨｌｏｗが、Ｈｈｉｇｈ＞Ｈｌｏｗを満たし、前記遮集管を流れる下水の汚濁負荷量積算値ＳＭｐ１が予め定めた上限値ＳＭｐ１＊に達した場合は、強制的に越流堰高さＨｇをＨｌｏｗとするものである。
【００１５】
【発明の実施の形態】
参考例１
参考例１を図１に基づいて説明する。図１は参考例１にかかわる下水排除システムを示す構成図である。
【００１６】
図１において、８０は幹線３を流れる下水の流量を計測するための流量計、８１は同じく幹線３を流れる下水中の汚濁物質濃度、たとえば有機物濃度を計測するための自動水質モニタであり、いずれも幹線３に取り付けられている。９は幹線３から雨水吐室４に単位時間あたりに流入する汚濁負荷量を求めるための演算器であり、信号線８０ａを介して流量計８０に接続するとともに、信号線８１ａを介して自動水質モニタ８１に接続している。なお、参考例１における流量計、自動水質モニタおよび演算器がデータ計測手段である。
【００１７】
また、１０は雨水吐室４に単位時間あたりに流入する汚濁負荷量に応じて雨水吐室４の越流堰の高さ(以下、単に越流堰高さという)を調節するための高さ調節手段であるコントローラであり、信号線９ａを介して演算器９に接続するとともに、信号線１０ａを介してモータ７に接続している。該モータ７は雨水吐室４の越流堰を動かすためのモータであり、動力伝達手段７ａを介して雨水吐室４の越流堰に接続している。その他の構造は図６５に示す従来と同様であり、１は下水を下水処理場へ送るための遮集管、２は河川、５は雨水吐室４と遮集管１とを接続する管路、６は雨水吐室４と河川２とを接続する管路である。
【００１８】
つぎに動作について説明する。
【００１９】
前記幹線３を流れる下水の流量は流量計８０で計測される。また、幹線３を流れる下水中の汚濁物質濃度、たとえば有機物濃度は自動水質モニタ８１で計測される。演算器９は前記下水の流量と汚濁物質濃度との値を乗じることによって、幹線３から雨水吐室４に単位時間あたりに流入する汚濁負荷量Ｍｐ４を求める。この乗算に必要な下水の流量は信号線８０ａを介して、また汚濁物質濃度は信号線８１ａを介して演算器９に伝えられる。
【００２０】
該コントローラ１０は、雨水吐室４に単位時間あたりに流入するデータの汚濁負荷量Ｍｐ４に応じて雨水吐室４の越流堰高さＨｇを調節する。すなわち、汚濁負荷量Ｍｐ４が予め定めた上限値Ｍｐ４＊を上回ったときは、越流堰高さＨｇをＨｈｉｇｈとする。逆に汚濁負荷量Ｍｐ４が上限値Ｍｐ４＊を下回った場合は、越流堰高さＨｇをＨｌｏｗとする（Ｈｈｉｇｈ＞Ｈｌｏｗ）。
【００２１】
この動作に必要な汚濁負荷量Ｍｐ４は信号線９ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【００２２】
以上により、汚濁物質を多量に含む初期雨水が流入してきた場合は越流堰を上げることにより河川への流出量を制限する。そののち、汚濁物質が充分に希釈された下水が流入してきたら河川への放流量を増やし、下水処理場への流入量を制限する。これにより、参考例１では、河川水質を悪化させることなく、また下水処理場への流入下水量を増大させることなく雨天時の下水を排除できる。
【００２３】
参考例２
参考例２を図１に基づいて説明する。参考例２におけるシステムの構成は図１に示す参考例１と同様である。また、動作も参考例１とほぼ同様であるが、コントローラ１０の動作が若干異なる。
【００２４】
参考例２におけるコントローラ１０は、雨水吐室４に単位時間あたりに流入する汚濁負荷量Ｍｐ４と予め定めた上限値Ｍｐ４＊との偏差に応じて雨水吐室４の越流堰高さＨｇを調節する。この調節は、たとえばつぎの式（１）にしたがって行なわれる。
Ｈｇ＝Ｋ４×（Ｍｐ４−Ｍｐ４＊）＋Ｈｇ０          （１）
【００２５】
ここに、Ｋ４：定数
Ｈｇ０：定数
であり、前記上限値Ｍｐ４＊は河川２の自浄能力や水質規制値に応じて適宜定めることができる。また両定数Ｋ４、Ｈｇ０は、はじめ適当な値を与えておいて、その後Ｍｐ４が最もよく制御されるように適宜調節することにより定めることができる。
【００２６】
以上により、雨水吐室に流入する汚濁負荷量が大きいときは堰が高くなり河川への流出量を減らせる。逆に汚濁負荷量が小さいときは堰が低くなり下水処理場に対する負荷を低減できる。これにより、前記参考例１の効果に加えて、より精緻に河川への汚濁物質の流出量を制御できる。
【００２７】
参考例３
参考例３を図２に基づいて説明する。図２は参考例３にかかわる下水排除システムを示す構成図である。
【００２８】
図２において、８０は雨水吐室４から越流する下水の流量を計測するための流量計、８１は同じく雨水吐室４から越流する下水中の汚濁物質濃度、たとえば有機物濃度を計測するための自動水質モニタであり、いずれも雨水吐室４と河川とを接続する管路６に取り付けられている。９は雨水吐室４から単位時間あたりに越流する汚濁負荷量を求めるための演算器であり、信号線８０ａを介して流量計８０に接続するとともに、信号線８１ａを介して自動水質モニタ８１に接続している。
【００２９】
また、１０は雨水吐室４から単位時間あたりに越流する汚濁負荷量に応じて雨水吐室４の越流堰高さを調節するためのコントローラであり、信号線９ａを介して演算器９に接続するとともに、信号線１０ａを介してモータ７に接続している。その他の構造は図１と同様である。
【００３０】
つぎに動作について説明する。
【００３１】
前記雨水吐室４から越流する下水の流量は流量計８０で計測される。また、雨水吐室４から越流する下水中の汚濁物質濃度、たとえば有機物濃度は自動水質モニタ８１で計測される。演算器９は前記下水の流量と汚濁物質濃度との値を乗じることによって雨水吐室４から単位時間あたりに越流する汚濁負荷量Ｍｐ５を求める。この乗算に必要な下水流量は信号線８０ａを介して、また汚濁物質濃度は信号線８１ａを介して演算器９に伝えられる。
【００３２】
前記コントローラ１０は、雨水吐室４から単位時間あたりに越流する汚濁負荷量Ｍｐ５に応じて雨水吐室４の越流堰高さＨｇを調節する。すなわち、汚濁負荷量Ｍｐ５が予め定めた上限値Ｍｐ５＊を上回ったときは、越流堰高さＨｇをＨｈｉｇｈとする。逆に汚濁負荷量Ｍｐ５が上限値Ｍｐ５＊を下回った場合は、越流堰高さＨｇをＨｌｏｗとする（Ｈｈｉｇｈ＞Ｈｌｏｗ）。
【００３３】
この動作に必要な汚濁負荷量Ｍｐ５は信号線９ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【００３４】
以上により、前記参考例１と同様に、汚濁物質を多量に含む初期雨水が流入してきた場合は越流堰を上げることにより河川への流出量を制限する。そののち、汚濁物質が充分に希釈された下水が流入してきたら河川への放流量を増やし、下水処理場への流入量を制限する。これにより、河川水質を悪化させることなく、また下水処理場への流入下水量を増大させることなく雨天時の下水を排除できる。
【００３５】
参考例４
参考例４を図２に基づいて説明する。参考例４におけるシステムの構成は図２に示す参考例３と同様である。また、動作も参考例３とほぼ同様であるが、コントローラ１０の動作が若干異なる。
【００３６】
参考例４におけるコントローラ１０は、雨水吐室４から単位時間あたりに越流する汚濁負荷量Ｍｐ５と予め定めた上限値Ｍｐ５＊との偏差に応じて雨水吐室４の越流堰高さＨｇを調節する。この調節は、たとえばつぎの式（２）にしたがって行なわれる。
Ｈｇ＝Ｋ５×（Ｍｐ５―Ｍｐ５＊）＋Ｈｇ０          （２）
【００３７】
ここに、Ｋ５：定数
Ｈｇ０：定数
であり、前記上限値Ｍｐ５＊および両定数Ｋ５、Ｈｇ０は、前記参考例２と同様に定めることができる。
【００３８】
以上により、河川に流出する汚濁負荷量が常に一定になるように堰高さを調節できる。これにより、前記参考例３の効果に加えて、より精緻に河川への汚濁物質の流出量を制御できる。
【００３９】
参考例５
参考例５を図３に基づいて説明する。図３は参考例５にかかわる下水排除システムを示す構成図である。
【００４０】
図３において、８０は遮集管１を流れる下水中の流量を計測するための流量計、８１は同じく遮集管１を流れる下水中の汚濁物質濃度、たとえば有機物濃度を計測するための自動水質モニタであり、いずれも遮集管１に取り付けられている。９は遮集管１を流れる下水中の汚濁負荷量を求めるための演算器であり、信号線８０ａを介して流量計８０に接続するとともに、信号線８１ａを介して自動水質モニタ８１に接続している。
【００４１】
また、１０は遮集管１を流れる下水中の汚濁負荷量に応じて雨水吐室４の越流堰高さを調節するためのコントローラであり、信号線９ａを介して演算器９に接続するとともに、信号線１０ａを介してモータ７に接続している。その他の構造は図１と同様である。
【００４２】
つぎに動作について説明する。
【００４３】
前記遮集管１を流れる下水の流量は流量計８０で計測される。また、遮集管１を流れる下水中の汚濁物質濃度、たとえば有機物濃度は自動水質モニタ８１で計測される。演算器９は前記流量と汚濁物質濃度との値を乗じることによって遮集管１を流れる下水中の汚濁負荷量Ｍｐ６を求める。この乗算に必要な下水流量は信号線８０ａを介して、また汚濁物質濃度は信号線８１ａを介して演算器９に伝えられる。
【００４４】
該コントローラ１０は、遮集管１を流れる下水中の汚濁負荷量Ｍｐ６に応じて雨水吐室４の越流堰高さＨｇを調節する。すなわち、汚濁負荷量Ｍｐ６が予め定めた上限値Ｍｐ６＊を上回ったときは、越流堰高さＨｇをＨｌｏｗとする。逆に汚濁負荷量Ｍｐ６が上限値Ｍｐ６＊を下回った場合は、越流堰高さＨｇをＨｈｉｇｈとする（Ｈｈｉｇｈ＞Ｈｌｏｗ）。
【００４５】
この動作に必要な汚濁負荷量Ｍｐ６は信号線９ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【００４６】
以上により、処理能力が許す限り汚濁物質は下水処理場に送られるので、河川水質を悪化させることなく、また下水処理場への流入下水量を増大させることなく雨天時の下水を排除できる。
【００４７】
参考例６
参考例６を図３に基づいて説明する。参考例６におけるシステムの構成は図３に示す参考例５と同様である。また、動作も参考例５とほぼ同様であるが、コントローラ１０の動作が若干異なる。
【００４８】
参考例６におけるコントローラ１０は、遮集管１を流れる下水中の汚濁負荷量Ｍｐ６と予め定めた上限値Ｍｐ６＊との偏差に応じて雨水吐室４の越流堰高さＨｇを調節する。この調節は、たとえばつぎの式（３）にしたがって行なわれる。
Ｈｇ＝Ｈｇ０−Ｋ６×（Ｍｐ６―Ｍｐ６＊）          （３）
【００４９】
ここに、Ｈｇ０：定数
Ｋ６：定数
であり、前記上限値Ｍｐ６＊は遮集管１が接続されている下水処理場の処理能力に応じて適宜定めることができる。また、両定数Ｋ６、Ｈｇ０は、はじめ適当な値を与えておいて、その後Ｍｐ６が最もよく制御されるように適宜調節することにより定めることができる。
【００５０】
以上により、遮集管を経由して下水処理場に送られる汚濁負荷量が一定になるように堰高さを調節できる。これにより、参考例５の効果に加えて、より確実に河川への汚濁物質の流出量を低減できる。
【００５１】
参考例７
参考例７を図４に基づいて説明する。図４は参考例７にかかわる下水排除システムを示す構成図である。
【００５２】
図４において、８０は下水が越流する河川２の流量を計測するための流量計、８１は同じく河川２中の汚濁物質濃度、たとえば有機物濃度を計測するための自動水質モニタである。９は河川２中の汚濁負荷量を求めるための演算器であり、信号線８０ａを介して流量計８０に接続するとともに、信号線８１ａを介して自動水質モニタ８１に接続している。
【００５３】
また、１０は河川２中の汚濁負荷量に応じて雨水吐室４の越流堰高さを調節するためのコントローラであり、信号線９ａを介して演算器９に接続するとともに、信号線１０ａを介してモータ７に接続している。その他の構造は図１と同様である。
【００５４】
つぎに動作について説明する。
【００５５】
前記河川２の流量は流量計８０で計測される。また、河川２中の汚濁物質濃度、たとえば有機物濃度は自動水質モニタ８１で計測される。演算器９は前記河川の流量と汚濁物質濃度を乗じることによって河川２中の汚濁負荷量Ｍｐ７を求める。この乗算に必要な下水の流量は信号線８０ａを介して、また汚濁物質濃度は信号線８１ａを介して演算器９に伝えられる。
【００５６】
該コントローラ１０は、河川２中の汚濁負荷量Ｍｐ７に応じて雨水吐室４の越流堰高さＨｇを調節する。すなわち、汚濁負荷量Ｍｐ７が予め定めた上限値Ｍｐ７＊を上回ったときは、越流堰高さＨｇをＨｈｉｇｈとする。逆に汚濁負荷量Ｍｐ７が上限値Ｍｐ７＊を下回った場合は、越流堰高さＨｇをＨｌｏｗとする（Ｈｈｉｇｈ＞Ｈｌｏｗ）。
【００５７】
この動作に必要な汚濁負荷量Ｍｐ７は信号線９ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【００５８】
以上により、前記参考例１と同等の効果を奏する。
【００５９】
参考例８
参考例８を図４に基づいて説明する。参考例８におけるシステムの構成は図４に示す参考例７と同様である。また、動作も参考例７とほぼ同様であるが、コントローラ１０の動作が若干異なる。
【００６０】
参考例８におけるコントローラ１０は河川２中の汚濁負荷量Ｍｐ７と予め定めた上限値Ｍｐ７＊との偏差に応じて雨水吐室４の越流堰高さＨｇを調節する。この調節は、たとえばつぎの式（４）にしたがって行なわれる。
Ｈｇ＝Ｋ７×（Ｍｐ７−Ｍｐ７＊）＋Ｈｇ０          （４）
【００６１】
ここに、Ｋ７：定数
Ｈｇ０：定数
であり、前記上限値Ｍｐ７＊および両定数Ｋ７、Ｈｇ０は、前記参考例２と同様に定めることができる。
【００６２】
以上により、河川中の汚濁負荷量が常に一定になるように堰高さを調節できる。これにより、参考例７の効果に加えて、より精緻に河川への汚濁物質の流出量を制御できる。
【００６３】
参考例９
参考例９を図５に基づいて説明する。図５は参考例９にかかわる下水排除システムを示す構成図である。
【００６４】
図５において、８０は幹線３を流れる下水の流量を計測するためのデータ計測手段である流量計であり、信号線８０ａを介してコントローラ１０に接続している。１０は流量計８０の計測値に応じて雨水吐室４の越流堰高さを調節するためのコントローラであり、信号線１０ａを介してモータ７に接続している。その他の構造は図１と同様であり、１は下水を下水処理場へ送るための遮集管、２は河川、５は雨水吐室４と遮集管１とを接続する管路、６は雨水吐室４と河川２とを接続する管路である。
【００６５】
つぎに動作について説明する。
【００６６】
前記幹線３を流れる下水の流量Ｑ８は、流量計８０で計測され、信号線８０ａを介してコントローラ１０に送られる。コントローラ１０は、流量Ｑ８に応じて雨水吐室４の越流堰高さＨｇを調節する。すなわち、流量Ｑ８が予め定めた上限値Ｑ８＊を上回った場合には、越流堰高さＨｇをＨｈｉｇｈとする。逆に流量Ｑ８が上限値Ｑ８＊を下回った場合には、越流堰高さＨｇをＨｌｏｗとする（Ｈｈｉｇｈ＞Ｈｌｏｗ）。
【００６７】
この動作に必要な流量Ｑ８は信号線８０ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【００６８】
以上により、前記参考例１と同様に、汚濁物質を多量に含む初期雨水が流入してきた場合は越流堰を上げることにより河川への流出量を制限する。そののち、汚濁物質が充分に希釈された下水が流入してきたら河川への放流量を増やし、下水処理場への流入量を制限する。これにより、参考例９では、河川水質を悪化させることなく、また下水処理場への流入下水量を増大させることなく雨天時の下水を排除できる。
【００６９】
参考例１０
参考例１０を説明する。参考例１０におけるシステムの構成は図５に示す参考例９と同様である。また、動作も参考例９と同様であるが、コントローラ１０の動作が若干異なる。
【００７０】
参考例１０におけるコントローラ１０は、幹線３を流れる下水の流量Ｑ８と予め定めた上限値Ｑ８＊との偏差に応じて雨水吐室４の越流堰高さを調節する。この調節は、たとえばつぎの式（５）にしたがって行なわれる。
Ｈｇ＝Ｋ８×（Ｑ８−Ｑ８＊）＋Ｈｇ０          （５）
【００７１】
ここに、Ｋ８：定数
Ｈｇ０：定数
であり、前記上限値Ｑ８＊および両定数Ｋ８、Ｈｇ０は、前記参考例２と同様に定めることができる。
【００７２】
以上により、雨水吐室に流入する汚濁負荷量が大きいときは堰が高くなり河川への流出量を減らせる。逆に汚濁負荷量が小さいときは堰が低くなり下水処理場に対する負荷を低減できる。これにより、前記参考例１０の効果に加えて、より精緻に河川への汚濁物質の流出量を制御できる。
【００７３】
参考例１１
参考例１１を図６に基づいて説明する。図６は参考例１１にかかわる下水排除システムを示す構成図である。
【００７４】
図６において、８０は雨水吐室４から越流する下水の流量を計測するためのデータ計測手段である流量計であり、信号線８０ａを介してコントローラ１０に接続している。１０は流量計８０の計測値に応じて雨水吐室４の越流堰高さを調節するためのコントローラであり、信号線１０ａを介してモータ７に接続している。その他の構造は図２と同様である。
【００７５】
つぎに動作について説明する。
【００７６】
前記雨水吐室４から越流する下水の流量Ｑ９は、流量計８０で計測され、信号線８０ａを介してコントローラ１０に送られる。コントローラ１０は、流量Ｑ９に応じて雨水吐室４の越流堰高さＨｇを調節する。すなわち、流量Ｑ９が予め定めた上限値Ｑ９＊を上回った場合には、越流堰高さＨｇをＨｈｉｇｈとする。逆に流量Ｑ９が上限値Ｑ９＊を下回った場合には、越流堰高さＨｇをＨｌｏｗとする（Ｈｈｉｇｈ＞Ｈｌｏｗ）。その他の動作は参考例３と同様である。
【００７７】
以上により、参考例３とほぼ同等の効果を奏する。
【００７８】
参考例１２
参考例１２を説明する。参考例１２におけるシステムの構成は図６に示す参考例１１と同様である。また、動作も参考例１１と同様であるが、コントローラ１０の動作が若干異なる。
【００７９】
参考例１２におけるコントローラ１０は、雨水吐室４から越流する下水の流量Ｑ９と予め定めた上限値Ｑ９＊との偏差に応じて雨水吐室４の越流堰高さを調節する。この調節は、たとえばつぎの式（６）にしたがって行なわれる。
Ｈｇ＝Ｋ９×（Ｑ９−Ｑ９＊）＋Ｈｇ０          （６）
【００８０】
ここに、Ｋ９：定数
Ｈｇ０：定数
であり、前記上限値Ｑ９＊および両定数Ｋ９、Ｈｇ０は、前記参考例４と同様に定めることができる。
【００８１】
以上により、参考例４とほぼ同等の効果を奏する。
【００８２】
参考例１３
参考例１３を図７に基づいて説明する。図７は参考例１３にかかわる下水排除システムを示す構成図である。
【００８３】
図７において、８０は遮集管１を流れる下水の流量を計測するためのデータ計測手段である流量計であり、信号線８０ａを介してコントローラ１０に接続している。１０は流量計８０の計測値に応じて雨水吐室４の越流堰高さを調節するためのコントローラであり、信号線１０ａを介してモータ７に接続している。その他の構造は図３と同様である。
【００８４】
つぎに動作について説明する。
【００８５】
前記遮集管１を流れる下水の流量Ｑ１０は、流量計８０で計測され、信号線８０ａを介してコントローラ１０に送られる。コントローラ１０は、流量Ｑ１０に応じて雨水吐室４の越流堰高さＨｇを調節する。すなわち、流量Ｑ１０が予め定めた上限値Ｑ１０＊を上回った場合には、越流堰高さＨｇをＨｌｏｗとする。逆に流量Ｑ１０が上限値Ｑ１０＊を下回った場合には、越流堰高さＨｇをＨｈｉｇｈとする（Ｈｈｉｇｈ＞Ｈｌｏｗ）。その他の動作は参考例５と同様である。
【００８６】
以上により、参考例５とほぼ同等の効果を奏する。
【００８７】
参考例１４
参考例１４を図８に基づいて説明する。図８は参考例１４にかかわる下水排除システムを示す構成図である。
【００８８】
図８において、８０は下水が越流する河川２の流量を計測するためのデータ計測手段である流量計であり、信号線８０ａを介してコントローラ１０に接続している。１０は流量計８０の計測値に応じて雨水吐室４の越流堰高さを調節するためのコントローラであり、信号線１０ａを介してモータ７に接続している。その他の構造は図４と同様である。
【００８９】
つぎに動作について説明する。
【００９０】
前記河川２の流量Ｑ１１は、流量計８０で計測され、信号線８０ａを介してコントローラ１０に送られる。コントローラ１０は、流量Ｑ１１に応じて雨水吐室４の越流堰高さＨｇを調節する。すなわち、流量Ｑ１１が予め定めた上限値Ｑ１１＊を上回った場合には、越流堰高さＨｇをＨｈｉｇｈとする。逆に流量Ｑ１１が上限値Ｑ１１＊を下回った場合には、越流堰高さＨｇをＨｌｏｗとする（Ｈｈｉｇｈ＞Ｈｌｏｗ）。その他の動作は参考例７と同様である。
【００９１】
以上により、参考例７とほぼ同等の効果を奏する。
【００９２】
参考例１５
参考例１５を図８に基づいて説明する。参考例１５におけるシステムの構成は図８に示す参考例１４と同様である。また、動作も参考例１４とほぼ同様であるが、コントローラ１０の動作が若干異なる。
【００９３】
参考例１５におけるコントローラ１０は、河川２の流量Ｑ１１と予め定めた上限値Ｑ１１＊との偏差に応じて雨水吐室４の越流堰高さを調節する。この調節は、たとえばつぎの式（８）にしたがって行なわれる。
Ｈｇ＝Ｋ１１×（Ｑ１１−Ｑ１１＊）＋Ｈｇ０          （８）
【００９４】
ここに、Ｋ１１：定数
Ｈｇ０：定数
であり、前記上限値Ｑ１１＊および両定数Ｋ１１、Ｈｇ０は、前記参考例８と同様に定めることができる。
【００９５】
以上により、参考例８とほぼ同等の効果を奏する。
【００９６】
参考例１６
参考例１６を図９に基づいて説明する。図９は参考例１６にかかわる下水排除システムを示す構成図である。
【００９７】
図９において、８１は幹線３を流れる下水中の汚濁物質濃度、たとえば有機物濃度を計測するためのデータ計測手段である自動水質モニタであり、信号線８１ａを介してコントローラ１０に接続している。１０は自動水質モニタ１１の計測値に応じて雨水吐室４の越流堰高さを調節するためのコントローラであり、信号線１０ａを介してモータ７に接続している。その他の構造は図１と同様であり、１は下水を下水処理場へ送るための遮集管、２は河川、５は雨水吐室４と遮集管１とを接続する管路、６は雨水吐室４と河川２とを接続する管路である。
【００９８】
つぎに動作について説明する。
【００９９】
前記幹線３を流れる下水中の汚濁物質濃度Ｃ１２は、自動水質モニタ８１で計測され、信号線８１ａを介してコントローラ１０に送られる。コントローラ１０は、汚濁物質濃度Ｃ１２に応じて雨水吐室４の越流堰高さＨｇを調節する。すなわち、汚濁物質濃度Ｃ１２が予め定めた上限値Ｃ１２＊を上回った場合には、越流堰高さＨｇをＨｈｉｇｈとする。逆に汚濁物質濃度Ｃ１２が上限値Ｃ１２＊を下回った場合には、越流堰高さＨｇをＨｌｏｗとする（Ｈｈｉｇｈ＞Ｈｌｏｗ）。
【０１００】
この動作に必要な汚濁物質濃度Ｃ１２は信号線８１ａを介してコントローラ１０に伝えられる。また、コントローラ１０の出力は、信号線１０ａを介してモータ７に伝えられる。モータ７で発生した動力は、動力伝達手段７ａを介して雨水吐室４の越流堰に伝えられ、前記高さＨｇがＨｈｉｇｈまたはＨｌｏｗに調節される。
【０１０１】
以上により、前記参考例１と同様に、汚濁物質を多量に含む初期雨水が流入してきた場合は越流堰を上げることにより河川への流出量を制限する。そののち、汚濁物質が充分に希釈された下水が流入してきたら河川への放流量を増やし、下水処理場への流入量を制限する。これにより、参考例１６では、河川水質を悪化させることなく、また下水処理場への流入下水量を増大させることなく雨天時の下水を排除できる。
【０１０２】
参考例１７
参考例１７を図９に基づいて説明する。参考例１７におけるシステムの構成は図９と同様である。また、動作も参考例１６と同様であるが、コントローラ１０の動作が若干異なる。
【０１０３】
参考例１７におけるコントローラ１０は、幹線３を流れる下水中の汚濁物質濃度Ｃ１２と予め定めた上限値Ｃ１２＊との偏差に応じて雨水吐室４の越流堰高さを調節する。この調節は、たとえばつぎの式（９）にしたがって行なわれる。
Ｈｇ＝Ｋ１２×（Ｃ１２−Ｃ１２＊）＋Ｈｇ０          （９）
【０１０４】
ここに、Ｋ１２：定数
Ｈｇ０：定数
であり、前記上限値Ｃ１２＊および両定数Ｋ１２、Ｈｇ０は、前記参考例２と同様に定めることができる。
【０１０５】
以上により、雨水吐室に流入する汚濁負荷量が大きいときは堰が高くなり河川への流出量を減らせる。逆に汚濁負荷量が小さいときは堰が低くなり下水処理場に対する負荷を低減できる。これにより、前記参考例１６の効果に加えて、より精緻に河川への汚濁物質の流出量を制御できる。
【０１０６】
参考例１８
参考例１８を図１０に基づいて説明する。図１０は参考例１８にかかわる下水排除システムを示す構成図である。
【０１０７】
図１０において、８１は雨水吐室４から越流する下水中の汚濁物質濃度、たとえば有機物濃度を計測するためのデータ計測手段である自動水質モニタであり、信号線８１ａを介してコントローラ１０に接続している。１０は自動水質モニタ８１の計測値に応じて雨水吐室４の越流堰高さを調節するためのコントローラであり、信号線１０ａを介してモータ７に接続している。その他の構造は図２と同様である。
【０１０８】
つぎに動作について説明する。
【０１０９】
前記雨水吐室４から越流する下水中の汚濁物質濃度Ｃ１３は、自動水質モニタ８１で計測され、信号線８１ａを介してコントローラ１０に送られる。コントローラ１０は、汚濁物質濃度Ｃ１３に応じて雨水吐室４の越流堰高さＨｇを調節する。すなわち、汚濁物質濃度Ｃ１３が予め定めた上限値Ｃ１３＊を上回った場合には、越流堰高さＨｇをＨｈｉｇｈとする。逆に汚濁物質濃度Ｃ１３が上限値Ｃ１３＊を下回った場合には、越流堰高さＨｇをＨｌｏｗとする（Ｈｈｉｇｈ＞Ｈｌｏｗ）。その他の動作は参考例３と同様である。
【０１１０】
以上により、参考例３とほぼ同等の効果を奏する。
【０１１１】
参考例１９
参考例１９を説明する。参考例１９におけるシステムの構成は図１０に示す参考例１８と同様である。また、動作も参考例１８と同様であるが、コントローラ１０の動作が若干異なる。
【０１１２】
参考例１９におけるコントローラ１０は、雨水吐室４から越流する下水中の汚濁物質濃度Ｃ１３と予め定めた上限値Ｃ１３＊との偏差に応じて雨水吐室４の越流堰高さを調節する。この調節は、たとえばつぎの式（１０）にしたがって行なわれる。
Ｈｇ＝Ｋ１３×（Ｃ１３−Ｃ１３＊）＋Ｈｇ０          （１０）
【０１１３】
ここに、Ｋ１３：定数
Ｈｇ０：定数
であり、前記上限値Ｃ１３＊および両定数Ｋ１３、Ｈｇ０は、前記参考例２と同様に定めることができる。
【０１１４】
以上により、参考例４とほぼ同等の効果を奏する。
【０１１５】
参考例２０
参考例２０を図１１に基づいて説明する。図１１は参考例２０にかかわる下水排除システムを示す構成図である。
【０１１６】
図１１において、８１は遮集管１を流れる下水中の汚濁物質濃度、たとえば有機物濃度を計測するためのデータ計測手段である自動水質モニタであり、信号線８１ａを介してコントローラ１０に接続している。１０は自動水質モニタ８１の計測値に応じて雨水吐室４の越流堰高さを調節するためのコントローラであり、信号線１０ａを介してモータ７に接続にている。その他の構造は図３と同様である。
【０１１７】
つぎに動作について説明する。
【０１１８】
前記遮集管１を流れる下水中の汚濁物質濃度Ｃ１４は、自動水質モニタ８１で計測され、信号線８１ａを介してコントローラ１０に送られる。コントローラ１０は、汚濁物質濃度Ｃ１４に応じて雨水吐室４の越流堰高さＨｇを調節する。すなわち、汚濁物質濃度Ｃ１４が予め定めた上限値Ｃ１４＊を上回った場合には、越流堰高さＨｇをＨｌｏｗとする。逆に汚濁物質濃度Ｃ１４が上限値Ｃ１４＊を下回った場合には、越流堰高さＨｇをＨｈｉｇｈとする（Ｈｈｉｇｈ＞Ｈｌｏｗ）。その他の動作は参考例５と同様である。
【０１１９】
以上により、参考例５とほぼ同等の効果を奏する。
【０１２０】
参考例２１
参考例２１を図１２に基づいて説明する。図１２は参考例２１にかかわる下水排除システムを示す構成図である。
【０１２１】
図１２において、８１は下水が越流する河川２中の汚濁物質濃度、たとえば有機物濃度を計測するためのデータ計測手段である自動水質モニタであり、信号線８１ａを介してコントローラ１０に接続している。１０は流量計８０の計測値に応じて雨水吐室４の越流堰高さを調節するためのコントローラであり、信号線１０ａを介してモータ７に接続している。その他の構造は図４と同様である。
【０１２２】
つぎに動作について説明する。
【０１２３】
前記河川２中の汚濁物質濃度Ｃ１５は、自動水質モニタ８１で計測され、信号線８１ａを介してコントローラ１０に送られる。コントローラ１０は、汚濁物質濃度Ｃ１５に応じて雨水吐室４の越流堰高さＨｇを調節する。すなわち、汚濁物質濃度Ｃ１５が予め定めた上限値Ｃ１５＊を上回った場合には、越流堰高さＨｇをＨｈｉｇｈとする。逆に汚濁物質濃度Ｃ１５が上限値Ｃ１５＊を下回った場合には、越流堰高さＨｇをＨｌｏｗとする（Ｈｈｉｇｈ＞Ｈｌｏｗ）。その他の動作は参考例７と同様である。
【０１２４】
以上により、参考例７とほぼ同等の効果を奏する。
【０１２５】
参考例２２
参考例２２を図１２に基づいて説明する。参考例２２におけるシステムの構成は図１２に示す参考例２と同様である。また、動作も参考例２１とほぼ同様であるが、コントローラ１０の動作が若干異なる。
【０１２６】
参考例２２におけるコントローラ１０は、河川２中の汚濁物質濃度Ｃ１５と予め定めた上限値Ｃ１５＊との偏差に応じて雨水吐室４の越流堰高さを調節する。この調節は、たとえば式（１２）にしたがって行なわれる。
Ｈｇ＝Ｋ１５×（Ｃ１５−Ｃ１５＊）＋Ｈｇ０          （１２）
【０１２７】
ここに、Ｋ１５：定数
Ｈｇ０：定数
であり、前記上限値Ｃ１５＊および両定数Ｋ１５、Ｈｇ０は、前記参考例２と同様に定めることができる。
【０１２８】
以上により、参考例８とほぼ同等の効果を奏する。
【０１２９】
参考例２３
参考例２３を図１３に基づいて説明する。図１３は参考例２３にかかわる下水排除システムを示す構成図である。
【０１３０】
図１３において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図１と同様である。
【０１３１】
つぎに動作について説明する。
【０１３２】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度の値を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁負荷量Ｍｐ４６は、信号線９０ａを介してコントローラ１０に伝えられる。
【０１３３】
該コントローラ１０は、参考例１または２と同様に雨水吐室４に単位時間当たりに流入する汚濁負荷量Ｍｐ４に応じて雨水吐室４の越流堰高さＨｇを調節するが、遮集管１を流れる下水中の汚濁負荷量Ｍｐ４６が予め定めた上限値Ｍｐ４６＊に達した場合は、越流堰高さＨｇを最低高さＨｌｏｗにまで下げ、下水処理場の負荷を軽減する。
【０１３４】
以上により、参考例１または２の効果に加えて、下水処理場の過負荷を確実に防止できる。
【０１３５】
実施の形態２４
本発明の請求項１にかかわる実施の形態を図１４に基づいて説明する。図１４は実施の形態２４にかかわる下水排除システムを示す構成図である。
【０１３６】
図１４において、１１０は遮集管１を流れる下水中の汚濁負荷量の積算値を求めるためのデータ積算手段である積算器であり、信号線９０ａを介して演算器９０と、信号線１１０ａを介してコントローラ１０に接続している。その他の構造は図１３と同様である。
【０１３７】
つぎに動作について説明する。
【０１３８】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０１３９】
該コントローラ１０では、参考例１などと同様に雨水吐室４に単位時間当たりに流入する汚濁負荷量Ｍｐ４に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０１４０】
以上により、参考例２３と同等の効果を奏する。
【０１４１】
参考例２５
参考例２５を図１５に基づいて説明する。図１５は参考例２５にかかわる下水排除システムを示す構成図である。
【０１４２】
図１５において、８３は遮集管１を流れる下水中の流量を計測するための流量計であり、遮集管１に取り付けられている。流量計８３は信号線８３ａを介してコントローラ１０に接続している。その他の構造は図１と同様である。
【０１４３】
つぎに動作について説明する。
【０１４４】
前記遮集管１を流れる下水の流量Ｑ４１０は流量計８３で計測される。流量Ｑ４１０は信号線８３ａを介してコントローラ１０に伝えられる。
【０１４５】
該コントローラ１０は、参考例１または２と同様に雨水吐室４に単位時間当たりに流入する汚濁負荷量Ｍｐ４に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０１４６】
以上により、参考例２３と同等の効果を奏する。
【０１４７】
参考例２６
参考例２６を図１６に基づいて説明する。図１６は参考例２６にかかわる下水排除システムを示す構成図である。
【０１４８】
図１６において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図１５と同様である。
【０１４９】
つぎに動作について説明する。
【０１５０】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０１５１】
該コントローラ１０では、参考例１などと同様に雨水吐室４に単位時間当たりに流入する汚濁負荷量Ｍｐ４に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０１５２】
以上により、参考例２５と同等の効果を奏する。
【０１５３】
参考例２７
参考例２７を図１７に基づいて説明する。図１７は参考例２７にかかわる下水排除システムを示す構成図である。
【０１５４】
図１７において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図２と同様である。
【０１５５】
つぎに動作について説明する。
【０１５６】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁物質濃度Ｍｐ４６は、信号線９０ａを介してコントローラ１０に伝えられる。
【０１５７】
該コントローラ１０は、参考例３または４と同様に雨水吐室４から単位時間当たりに越流する汚濁負荷量Ｍｐ５に応じて雨水吐室４の越流堰高さＨｇを調節するが、遮集管１を流れる下水中の汚濁負荷量Ｍｐ４７が予め定めた上限値Ｍｐ４６＊に達した場合は、越流堰高さＨｇを最低高さＨｌｏｗにまで下げ、下水処理場の負荷を軽減する。
【０１５８】
以上により、参考例３または４の効果に加えて、下水処理場の過負荷を確実に防止できる。
【０１５９】
実施の形態２８
本発明の請求項３にかかわる実施の形態を図１８に基づいて説明する。図１８は実施の形態２８にかかわる下水排除システムを示す構成図である。
【０１６０】
図１８において、１１０は遮集管１を流れる下水中の汚濁負荷量の積算値を求めるためのデータ積算手段である積算器であり、信号線９０ａを介して演算器９０と、信号線１１０ａを介してコントローラ１０に接続している。その他の構造は図１７と同様である。
【０１６１】
つぎに動作について説明する。
【０１６２】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０１６３】
該コントローラ１０では、参考例３などと同様に雨水吐室４から単位時間当たりに越流する汚濁負荷量Ｍｐ５に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０１６４】
以上により、参考例２７と同等の効果を奏する。
【０１６５】
参考例２９
参考例２９を図１９に基づいて説明する。図１９は参考例２９にかかわる下水排除システムを示す構成図である。
【０１６６】
図１９において、８３は遮集管１を流れる下水中の流量を計測するための流量計であり、遮集管１に取り付けられている。流量計８３は信号線８３ａを介してコントローラ１０に接続している。その他の構造は図２と同様である。
【０１６７】
つぎに動作について説明する。
【０１６８】
前記遮集管１を流れる下水の流量Ｑ４１０は流量計８３で計測される。Ｑ４１０は１０に伝えられる。
【０１６９】
該コントローラ１０は、参考例３または４と同様に雨水吐室４から単位時間当たりに越流する汚濁負荷量Ｍｐ５に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０１７０】
以上により、参考例２７と同等の効果を奏する。
【０１７１】
参考例３０
参考例３０を図２０に基づいて説明する。図２０は参考例３０にかかわる下水排除システムを示す構成図である。
【０１７２】
図２０において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図１９と同様である。
【０１７３】
つぎに動作について説明する。
【０１７４】
遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０１７５】
コントローラ１０では、参考例３などと同様に雨水吐室４から単位時間当たりに越流する汚濁負荷量Ｍｐ５に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０１７６】
以上により、参考例２９と同等の効果を奏する。
【０１７７】
参考例３１
参考例３１を図２１に基づいて説明する。図２１は参考例３１にかかわる下水排除システムを示す構成図である。
【０１７８】
図２１において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図４と同様である。
【０１７９】
つぎに動作について説明する。
【０１８０】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁物質濃度Ｍｐ４６は、信号線９０ａを介してコントローラ１０に伝えられる。
【０１８１】
該コントローラ１０は、参考例７または８と同様に河川２中の汚濁負荷量Ｍｐ７に応じて雨水吐室４の越流堰高さＨｇを調節するが、遮集管１を流れる下水中の汚濁負荷量Ｍｐ４６が予め定めた上限値Ｍｐ４６＊に達した場合は、越流堰Ｈｇを最低高さＨｌｏｗにまで下げ、下水処理場の負荷を軽減する。
【０１８２】
以上により、参考例７または８の効果に加えて、下水処理場の過負荷を確実に防止できるという効果を奏する。
【０１８３】
実施の形態３２
本発明の請求項５にかかわる実施の形態を図２２に基づいて説明する。図２２は実施の形態３２にかかわる下水排除システムを示す構成図である。
【０１８４】
図２２において、１１０は遮集管１を流れる下水中の汚濁負荷量の積算値を求めるためのデータ積算手段である積算器であり、信号線９０ａを介して演算器９０に接続するとともに、信号線１１０ａを介してコントローラ１０に接続している。その他の構造は図２１と同様である。
【０１８５】
つぎに動作について説明する。
【０１８６】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０１８７】
コントローラ１０では、参考例７などと同様に河川２中の汚濁負荷量Ｍｐ７に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０１８８】
以上により、参考例３１と同等の効果を奏する。
【０１８９】
参考例３３
参考例３３を図２３に基づいて説明する。図２３は参考例３３にかかわる下水排除システムを示す構成図である。
【０１９０】
図２３において、８３は遮集管１を流れる下水中の流量を計測するための流量計であり、遮集管１に取り付けられている。流量計８３は信号線８３ａを介してコントローラ１０に接続している。その他の構造は図４と同様である。
【０１９１】
つぎに動作について説明する。
【０１９２】
前記遮集管１を流れる下水の流量Ｑ４１０は流量計８３で計測される。Ｑ４１０は信号線８３ａを介してコントローラ１０に伝えられる。
【０１９３】
該コントローラ１０は、参考例７または８と同様に河川２中の汚濁負荷量Ｍｐ７に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０１９４】
以上により、参考例３１と同等の効果を奏する。
【０１９５】
参考例３４
参考例３４を図２４に基づいて説明する。図２４は参考例３４にかかわる下水排除システムを示す構成図である。
【０１９６】
図２４において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図２３と同様である。
【０１９７】
つぎに動作について説明する。
【０１９８】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０１９９】
該コントローラ１０では、参考例７などと同様に河川２中の汚濁負荷量Ｍｐ７に応じて雨水吐室４の越流堰高さＨｇを調節するが、遮集管１を流れる下水流量の積算値ＳＱ４１０が予め定めた上限値ＳＱ４１０＊に達した場合は、Ｈｇを最低高さＨｌｏｗにまで下げ、下水処理場の負荷を軽減する。
【０２００】
以上により、参考例３３と同等の効果を奏する。
【０２０１】
参考例３５
参考例３５を図２５に基づいて説明する。図２５は参考例３５にかかわる下水排除システムを示す構成図である。
【０２０２】
図２５において、８３は遮集管１を流れる下水中の流量を計測するための流量計であり、遮集管１に取り付けられている。流量計８３は信号線８３ａを介してコントローラ１０に接続している。その他の構造は図５と同様である。
【０２０３】
つぎに動作について説明する。
【０２０４】
前記遮集管１を流れる下水の流量Ｑ４１０は流量計８３で計測される。Ｑ４１０は信号線８３ａを介してコントローラ１０に伝えられる。
【０２０５】
該コントローラ１０は、参考例９または１０と同様に幹線３を流れる下水の流量Ｑ８に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２０６】
以上により、参考例９または１０の効果に加えて、下水処理場の過負荷を確実に防止できるという効果を奏する。
【０２０７】
参考例３６
参考例３６を図２６に基づいて説明する。図２６は参考例３６にかかわる下水排除システムを示す構成図である。
【０２０８】
図２６において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図２５と同様である。
【０２０９】
つぎに動作について説明する。
【０２１０】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２１１】
該コントローラ１０では、参考例９などと同様に幹線３を流れる下水の流量Ｑ８に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２１２】
以上により、参考例３５と同等の効果を奏する。
【０２１３】
参考例３７
参考例３７を図２７に基づいて説明する。図２７は参考例３７にかかわる下水排除システムを示す構成図である。
【０２１４】
図２７において、８３は遮集管１を流れる下水中の流量を計測するための流量計であり、遮集管１に取り付けられている。流量計８３は信号線８３ａを介してコントローラ１０に接続している。その他の構造は図６と同様である。
【０２１５】
つぎに動作について説明する。
【０２１６】
前記遮集管１を流れる下水の流量Ｑ４１０は流量計８３で計測される。Ｑ４１０は信号線８３ａを介してコントローラ１０に伝えられる。
【０２１７】
該コントローラ１０は、参考例１１または１２と同様に雨水吐室４から越流する下水の流量Ｑ９に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２１８】
以上により、参考例１１または１２の効果に加えて、下水処理場の過負荷を確実に防止できる。
【０２１９】
参考例３８
参考例３８を図２８に基づいて説明する。図２８は参考例３８にかかわる下水排除システムを示す構成図である。
【０２２０】
図２８において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図２７と同様である。
【０２２１】
つぎに動作について説明する。
【０２２２】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２２３】
該コントローラ１０では、参考例１１などと同様に雨水吐室４から越流する下水の流量Ｑ９に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２２４】
以上により、参考例３７と同等の効果を奏する。
【０２２５】
参考例３９
参考例３９を図２９に基づいて説明する。図２９は参考例３９にかかわる下水排除システムを示す構成図である。
【０２２６】
図２９において、８３は遮集管１を流れる下水中の流量を計測するための流量計であり、遮集管１に取り付けられている。流量計８３は信号線８３ａを介してコントローラ１０に接続している。その他の構造は図８と同様である。
【０２２７】
つぎに動作について説明する。
【０２２８】
前記遮集管１を流れる下水の流量Ｑ４１０は流量計８３で計測される。Ｑ４１０は信号線８３ａを介してコントローラ１０に伝えられる。
【０２２９】
該コントローラ１０は、参考例１４または１５と同様に河川の流量Ｑ１１に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２３０】
以上により、参考例１４または１５の効果に加えて、下水処理場の過負荷を確実に防止できる。
【０２３１】
参考例４０
参考例４０を図３０に基づいて説明する。図３０は参考例４０にかかわる下水排除システムを示す構成図である。
【０２３２】
図３０において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図２９と同様である。
【０２３３】
つぎに動作について説明する。
【０２３４】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２３５】
該コントローラ１０では、参考例１４などと同様に遮集管１を流れる下水の流量Ｑ１１に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２３６】
以上により、参考例３９と同等の効果を奏する。
【０２３７】
参考例４１
参考例４１を図３１に基づいて説明する。図３１は参考例４１にかかわる下水排除システムを示す構成図である。
【０２３８】
図３１において、８３は遮集管１を流れる下水中の流量を計測するための流量計であり、遮集管１に取り付けられている。流量計８３は信号線８３ａを介してコントローラ１０に接続している。その他の構造は図９と同様である。
【０２３９】
つぎに動作について説明する。
【０２４０】
前記遮集管１を流れる下水の流量Ｑ４１０は流量計８３で計測される。Ｑ４１０は信号線８３ａを介してコントローラ１０に伝えられる。
【０２４１】
該コントローラ１０は、参考例１６または１７と同様に幹線３を流れる下水中の汚濁物質濃度Ｃ１２に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２４２】
以上により、参考例１６または１７の効果に加えて、下水処理場の過負荷を確実に防止できる。
【０２４３】
参考例４２
参考例４２を図３２に基づいて説明する。図３２は参考例４２にかかわる下水排除システムを示す構成図である。
【０２４４】
図３２において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図３１と同様である。
【０２４５】
つぎに動作について説明する。
【０２４６】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２４７】
該コントローラ１０では、参考例１６などと同様に幹線３を流れる下水中の汚濁物質濃度Ｃ１２に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２４８】
以上により、参考例４１と同等の効果を奏する。
【０２４９】
参考例４３
参考例４３を図３３に基づいて説明する。図３３は参考例４３にかかわる下水排除システムを示す構成図である。
【０２５０】
図３３において、８３は遮集管１を流れる下水中の流量を計測するための流量計であり、遮集管１に取り付けられている。流量計８３は信号線８３ａを介してコントローラ１０に接続している。その他の構造は図１０と同様である。
【０２５１】
つぎに動作について説明する。
【０２５２】
前記遮集管１を流れる下水の流量Ｑ４１０は流量計８３で計測される。Ｑ４１０は信号線８３ａを介してコントローラ１０に伝えられる。
【０２５３】
該コントローラ１０は、参考例１８または１９と同様に雨水吐室４から越流する下水中の汚濁物質濃度Ｃ１３に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２５４】
以上により、参考例１８または１９の効果に加えて、下水処理場の過負荷を確実に防止できる。
【０２５５】
参考例４４
参考例４４を図３４に基づいて説明する。図３４は参考例４４にかかわる下水排除システムを示す構成図である。
【０２５６】
図３４において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図３３と同様である。
【０２５７】
つぎに動作について説明する。
【０２５８】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２５９】
該コントローラ１０では、参考例１８などと同様に雨水吐室４から越流する下水中の汚濁物質濃度Ｃ１３に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２６０】
以上により、参考例４３と同等の効果を奏する。
【０２６１】
参考例４５
参考例４５を図３５に基づいて説明する。図３５は参考例４５にかかわる下水排除システムを示す構成図である。
【０２６２】
図３５において、８３は遮集管１を流れる下水中の流量を計測するための流量計であり、遮集管１に取り付けられている。流量計８３は信号線８３ａを介してコントローラ１０に接続している。その他の構造は図１１と同様である。
【０２６３】
つぎに動作について説明する。
【０２６４】
前記遮集管１を流れる下水の流量Ｑ４１０は流量計８３で計測される。Ｑ４１０は信号線８３ａを介してコントローラ１０に伝えられる。
【０２６５】
該コントローラ１０は、参考例２０と同様に遮集管１を流れる下水中の汚濁物質濃度Ｃ１４に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２６６】
以上により、参考例２０の効果に加えて、下水処理場の過負荷を確実に防止できる。
【０２６７】
参考例４６
参考例４６を図３６に基づいて説明する。図３６は参考例４６にかかわる下水排除システムを示す構成図である。
【０２６８】
図３６において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図３５と同様である。
【０２６９】
つぎに動作について説明する。
【０２７０】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０２７１】
該コントローラ１０では、参考例２１などと同様に遮集管１を流れる下水中の汚濁物質濃度Ｃ１４に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２７２】
以上により、参考例３５と同等の効果を奏する。
【０２７３】
参考例４７
参考例４７を図３７に基づいて説明する。図３７は参考例４７にかかわる下水排除システムを示す構成図である。
【０２７４】
図３７において、８３は遮集管１を流れる下水中の流量を計測するための流量計であり、遮集管１に取り付けられている。流量計８３は信号線８３ａを介してコントローラ１０に接続している。その他の構造は図１２と同様である。
【０２７５】
つぎに動作について説明する。
【０２７６】
前記遮集管１を流れる下水の流量Ｑ４１０は流量計８３で計測される。Ｑ４１０は信号線８３ａを介してコントローラ１０に伝えられる。
【０２７７】
該コントローラ１０は、参考例２１または２２と同様に河川２中の汚濁物質濃度Ｃ１５に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０２７８】
以上により、参考例２１または２２の効果に加えて、下水処理場の過負荷を確実に防止できる。
【０２７９】
参考例４８
参考例４８を図３８に基づいて説明する。図３８は参考例４８にかかわる下水排除システムを示す構成図である。
【０２８０】
図３８において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図３７と同様である。
【０２８１】
つぎに動作について説明する。
【０２８２】
遮集管１を流れる下水流量の積算値ＳＱ４１０は積算器１１０で求められる。この演算に必要な単位時間当たりの流量Ｑ４１０は信号線８３ａを介して演算器８３より求められる。求めたＳＱ４１０は信号線１１０ａを介してコントローラ１０に送られる。
【０２８３】
コントローラ１０では、参考例９などと同様に河川２中の汚濁物質濃度Ｃ１５に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０２８４】
以上により、参考例３７と同等の効果を奏する。
【０２８５】
参考例４９
参考例４９を図３９に基づいて説明する。図３９は参考例４９にかかわる下水排除システムを示す構成図である。
【０２８６】
図３９において、１１は雨水吐室４に流入する汚濁負荷量Ｍｐ４を積算するためのデータ積算手段である積算器であり、信号線９ａを介して演算器９に接続するとともに、信号線１１ａを介してコントローラ１０に接続している。その他の構造は図１と同様である。
【０２８７】
つぎに動作について説明する。
【０２８８】
前記雨水吐室４に流入する汚濁負荷量の積算値ＳＭｐ４は、積算器１１で求められる。この演算に必要な単位時間当たりの汚濁負荷量Ｍｐ４は、信号線９ａを介して演算器９より伝えられる。求められた積算値ＳＭｐ４は信号線１１ａを介してコントローラ１０に伝えられる。
【０２８９】
該コントローラ１０は積算値ＳＭｐ４に応じて雨水吐室４の越流堰高さＨｇを調節する。すなわち、積算値ＳＭｐ４が予め定めた上限値ＳＭｐ４＊よりも小さいときは越流堰高さＨｇをＨｌｏｗとする。積算値ＳＭｐ４が上限値ＳＭｐ４＊を上回ったら、越流堰高さＨｇをＨｈｉｇｈとする（Ｈｈｉｇｈ＞Ｈｌｏｗ）。その他の動作は参考例１と同様である。
【０２９０】
以上により、参考例１の効果に加え、一定量以上の汚濁負荷は河川に流出しないという効果を奏する。
【０２９１】
参考例５０
参考例５０を図４０に基づいて説明する。図４０は参考例５０にかかわる下水排除システムを示す構成図である。
【０２９２】
図４０において、１１は雨水吐室４から流出する汚濁負荷量Ｍｐ５を積算するためのデータ積算手段である積算器であり、信号線９ａを介して演算器９に接続するとともに、信号線１１ａを介してコントローラ１０に接続している。その他の構造は図２と同様である。
【０２９３】
つぎに動作について説明する。
【０２９４】
前記雨水吐室４から流出する汚濁負荷量の積算値ＳＭｐ５は、積算器１１で求められる。この演算に必要な単位時間当たりの汚濁負荷量Ｍｐ５は、信号線９ａを介して演算器９より伝えられる。求められた積算値ＳＭｐ５は信号線１１ａを介してコントローラ１０に伝えられる。
【０２９５】
該コントローラ１０は積算値ＳＭｐ５に応じて雨水吐室４の越流堰高さＨｇを調節する。すなわち、積算値ＳＭｐ５が予め定めた上限値ＳＭｐ５＊よりも小さいときは越流堰高さＨｇをＨｌｏｗとする。積算値ＳＭｐ５が上限値ＳＭｐ５＊を上回ったら越流堰高さＨｇをＨｈｉｇｈとする（Ｈｈｉｇｈ＞Ｈｌｏｗ）。その他の動作は参考例３と同様である。
【０２９６】
以上により、参考例３の効果に加え、一定量以上の汚濁物質を河川に流出しないようにできる。
【０２９７】
参考例５１
参考例５１を図４１に基づいて説明する。図４１は参考例５１にかかわる下水排除システムを示す構成図である。
【０２９８】
図４１において、１１は遮集管１を流れる下水中の汚濁負荷量Ｍｐ６を積算するためのデータ積算手段である積算器であり、信号線９ａを介して演算器９に接続するとともに、信号線１１ａを介してコントローラ１０に接続している。その他の構造は図３と同様である。
【０２９９】
つぎに動作について説明する。
【０３００】
遮集管１を流れる下水中の汚濁負荷量の積算値ＳＭｐ６は、積算器１１で求められる。この演算に必要な単位時間当たりの汚濁負荷量Ｍｐ６は、信号線９ａを介して演算器９より伝えられる。求められた積算値ＳＭｐ６は信号線１１ａを介してコントローラ１０に伝えられる。
【０３０１】
コントローラ１０は積算値ＳＭｐ６に応じて雨水吐室４の越流堰高さＨｇを調節する。すなわち、積算値ＳＭｐ６が予め定めた上限値ＳＭｐ６＊よりも小さいときは越流堰高さＨｇをＨｈｉｇｈとする。積算値ＳＭｐ６が上限値ＳＭｐ６＊を上回ったら越流堰高さＨｇをＨｌｏｗとする（Ｈｈｉｇｈ＞Ｈｌｏｗ）。その他の動作は参考例５と同様である。
【０３０２】
以上により、参考例５の効果に加え、下水処理場の能力が許す限り河川への汚濁物質の流出量は制限されるという効果を奏する。
【０３０３】
参考例５２
参考例５２を図４２に基づいて説明する。図４２は参考例５２にかかわる下水排除システムを示す構成図である。
【０３０４】
図４２において、１１は河川２中の汚濁負荷量Ｍｐ７を積算するためのデータ積算手段である積算器であり、信号線９ａを介して演算器９に接続するとともに、信号線１１ａを介してコントローラ１０に接続している。その他の構造は図４と同様である。
【０３０５】
つぎに動作について説明する。
【０３０６】
前記河川２中の汚濁負荷量の積算値ＳＭｐ７は、積算器１１で求められる。この演算に必要な単位時間当たりの汚濁負荷量Ｍｐ７は、信号線９ａを介して演算器９より伝えられる。求められた積算値ＳＭｐ７は信号線１１ａを介してコントローラ１０に伝えられる。
【０３０７】
該コントローラ１０は積算値ＳＭｐ７に応じて雨水吐室４の越流堰高さＨｇを調節する。すなわち、積算値ＳＭｐ７が予め定めた上限値ＳＭｐ７＊よりも小さいときは越流堰高さＨｇをＨｌｏｗとする。積算値ＳＭｐ７が上限値ＳＭｐ７＊を上回ったら越流堰高さＨｇをＨｈｉｇｈとする（Ｈｈｉｇｈ＞Ｈｌｏｗ）。その他の動作は参考例７と同様である。
【０３０８】
以上により、参考例７の効果に加え、一定量以上の汚濁物資質を河川に流出しないようにすることができる。
【０３０９】
参考例５３
参考例５３を図４３に基づいて説明する。図４３は参考例５３にかかわる下水排除システムを示す構成図である。
【０３１０】
図４３において、１１は幹線３を流れる下水の流量Ｑ８を積算するためのデータ積算手段である積算器であり、信号線９ａを介して演算器９に接続するとともに、信号線１１ａを介してコントローラ１０に接続している。その他の構造は図５と同様である。
【０３１１】
つぎに動作について説明する。
【０３１２】
前記雨水吐室４に流入する汚濁負荷量の積算値ＳＱ８は、積算器１１で求められる。この演算に必要な単位時間当たりの流量Ｑ８は、信号線９ａを介して演算器９より伝えられる。求められた積算値ＳＱ８は信号線１１ａを介してコントローラ１０に伝えられる。
【０３１３】
該コントローラ１０は積算値ＳＱ８に応じて雨水吐室４の越流堰高さＨｇを調節する。すなわち、積算値ＳＱ８が予め定めた上限値ＳＱ８＊よりも小さいときは越流堰高さＨｇをＨｌｏｗとする。積算値ＳＱ８が上限値ＳＱ８＊を上回ったら越流堰高さＨｇをＨｈｉｇｈとする（Ｈｈｉｇｈ＞Ｈｌｏｗ）。その他の動作は参考例９と同様である。
【０３１４】
以上により、参考例４９とほぼ同等の効果を奏する。
【０３１５】
参考例５４
参考例５４を図４４に基づいて説明する。図４４は参考例５４にかかわる下水排除システムを示す構成図である。
【０３１６】
図４４において、１１は雨水吐室４から越流する下水の流量Ｑ９を積算するためのデータ積算手段である積算器であり、信号線９ａを介して演算器９に接続するとともに、信号線１１ａを介してコントローラ１０に接続している。その他の構造は図６と同様である。
【０３１７】
つぎに動作について説明する。
【０３１８】
雨水吐室４から越流する下水の流量の積算値ＳＱ９は、積算器１１で求められる。この演算に必要な単位時間当たりの流量Ｑ９は、信号線９ａを介して演算器９より伝えられる。求められた積算値ＳＱ９は信号線１１ａを介してコントローラ１０に伝えられる。
【０３１９】
該コントローラ１０は積算値ＳＱ９に応じて雨水吐室４の越流堰高さＨｇを調節する。すなわち、積算値ＳＱ９が予め定めた上限値ＳＱ９＊よりも小さいときは越流堰高さＨｇをＨｌｏｗとする。積算値ＳＱ９が上限値ＳＱ９＊を上回ったら越流堰高さＨｇをＨｈｉｇｈとする（Ｈｈｉｇｈ＞Ｈｌｏｗ）。その他の動作は参考例１１と同様である。
【０３２０】
以上により、参考例５０とほぼ同等の効果を奏する。
【０３２１】
参考例５５
参考例５５を図４５に基づいて説明する。図４５は参考例５５にかかわる下水排除システムを示す構成図である。
【０３２２】
図４５において、１１は遮集管１を流れる下水の流量Ｑ１０を積算するためのデータ積算手段である積算器であり、信号線９ａを介して演算器９に接続するとともに、信号線１１ａを介してコントローラ１０に接続している。その他の構造は図７と同様である。
【０３２３】
つぎに動作について説明する。
【０３２４】
前記遮集管１を流れる下水流量の積算値ＳＱ１０は、積算器１１で求められる。この演算に必要な単位時間当たりの流量Ｑ１０は、信号線９ａを介して演算器９より伝えられる。求められた積算値ＳＱ１０は信号線１１ａを介してコントローラ１０に伝えられる。
【０３２５】
該コントローラ１０は積算値ＳＱ１０に応じて雨水吐室４の越流堰高さＨｇを調節する。すなわち、積算値ＳＱ１０が予め定めた上限値ＳＱ１０＊よりも小さいときは越流堰高さＨｇをＨｈｉｇｈとする。積算値ＳＱ１０が上限値ＳＱ１０＊を上回ったら越流堰高さＨｇをＨｌｏｗとする（Ｈｈｉｇｈ＞Ｈｌｏｗ）。その他の動作は参考例１３と同様である。
【０３２６】
以上により、参考例５１とほぼ同等の効果を奏する。
【０３２７】
参考例５６
参考例５６を図４６に基づいて説明する。図４６は参考例５６にかかわる下水排除システムを示す構成図である。
【０３２８】
図４６において、１１は河川２の流量Ｑ１１を積算するためのデータ積算手段である積算器であり、信号線９ａを介して演算器９に接続するとともに、信号線１１ａを介してコントローラ１０に接続している。その他の構造は図８と同様である。
【０３２９】
つぎに動作について説明する。
【０３３０】
前記河川２の流量の積算値ＳＱ１１は、積算器１１で求められる。この演算に必要な単位時間当たりの流量Ｑ１１は、信号線９ａを介して演算器９より伝えられる。求められた積算値ＳＱ１１は信号線１１ａを介してコントローラ１０に伝えられる。
【０３３１】
該コントローラ１０は積算値ＳＱ１１に応じて雨水吐室４の越流堰高さＨｇを調節する。すなわち、積算値ＳＱ１１が予め定めた上限値ＳＱ１１＊よりも小さいときは越流堰高さＨｇをＨｌｏｗとする。積算値ＳＱ１１が上限値ＳＱ１１＊を上回ったら越流堰高さＨｇをＨｈｉｇｈとする（Ｈｈｉｇｈ＞Ｈｌｏｗ）。その他の動作は参考例１４と同様である。
【０３３２】
以上により、参考例５２とほぼ同等の効果を奏する。
【０３３３】
実施の形態５７
本発明の請求項２にかかわる実施の形態を図４７に基づいて説明する。図４７は実施の形態５７にかかわる下水排除システムを示す構成図である。
【０３３４】
図４７において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図３９と同様である。
【０３３５】
つぎに動作について説明する。
【０３３６】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁負荷量Ｍｐ４６は、信号線９０ａを介してコントローラ１０に伝えられる。
【０３３７】
該コントローラ１０は、参考例４９と同様に雨水吐室４に単位時間当たりに流入する汚濁負荷量の積算値ＳＭｐ４に応じて雨水吐室４の越流堰高さＨｇを調節するが、遮集管１を流れる下水中の汚濁負荷量Ｍｐ４６が予め定めた上限値Ｍｐ４６＊に達した場合は、越流堰高さＨｇを最低高さＨｌｏｗにまで下げ、下水処理場の負荷を軽減する。
【０３３８】
以上により、参考例４９の効果に加えて、下水処理場の過負荷を確実に防止できる。
【０３３９】
参考例５８
参考例５８を図４８に基づいて説明する。図４８は参考例５８にかかわる下水排除システムを示す構成図である。
【０３４０】
図４８において、１１０は遮集管１を流れる下水中の汚濁負荷量の積算値を求めるためのデータ積算手段である積算器であり、信号線９０ａを介して演算器９０と、信号線１１０ａを介してコントローラ１０に接続している。その他の構造は図４７と同様である。
【０３４１】
つぎに動作について説明する。
【０３４２】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０３４３】
該コントローラ１０では、参考例４９などと同様に雨水吐室４に単位時間当たりに流入する汚濁負荷量の積算値ＳＭｐ４に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０３４４】
以上により、実施の形態５７と同等の効果を奏する。
【０３４５】
参考例５９
参考例５９を図４９に基づいて説明する。図４９は参考例５９にかかわる下水排除システムを示す構成図である。
【０３４６】
図４９において、８３は遮集管１を流れる下水中の流量を計測するための流量計であり、遮集管１に取り付けられている。流量計８３は信号線８３ａを介してコントローラ１０に接続している。その他の構造は図３９と同様である。
【０３４７】
つぎに動作について説明する。
【０３４８】
前記遮集管１を流れる下水の流量Ｑ４１０は流量計８３で計測される。Ｑ４１０は信号線８３ａを介してコントローラ１０に伝えられる。
【０３４９】
該コントローラ１０は、参考例４９と同様に雨水吐室４に単位時間当たりに流入する汚濁負荷量の積算値ＳＭｐ４に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０３５０】
以上により、実施の形態５７と同等の効果を奏する。
【０３５１】
参考例６０
参考例６０を図５０に基づいて説明する。図５０は参考例６０にかかわる下水排除システムを示す構成図である。
【０３５２】
図５０において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図４９と同様である。
【０３５３】
つぎに動作について説明する。
【０３５４】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０３５５】
該コントローラ１０では、参考例１などと同様に雨水吐室４に単位時間当たりに流入する汚濁負荷量の積算値ＳＭｐ４に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０３５６】
以上により、参考例５９と同等の効果を奏する。
【０３５７】
参考例６１
参考例６１を図５１に基づいて説明する。図５１は参考例６１にかかわる下水排除システムを示す構成図である。
【０３５８】
図５１において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図４０と同様である。
【０３５９】
つぎに動作について説明する。
【０３６０】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁負荷量Ｍｐ４６は、信号線９０ａを介してコントローラ１０に伝えられる。
【０３６１】
該コントローラ１０は、参考例５０と同様に雨水吐室４から単位時間当たりに越流する汚濁負荷量の積算値ＳＭｐ５に応じて雨水吐室４の越流堰高さＨｇを調節するが、遮集管１を流れる下水中の汚濁負荷量Ｍｐ４７が予め定めた上限値Ｍｐ４６＊に達した場合は、越流堰高さＨｇを最低高さＨｌｏｗにまで下げ、下水処理場の負荷を軽減する。
【０３６２】
以上により、前記参考例５０の効果に加えて、下水処理場の過負荷を確実に防止できる。
【０３６３】
実施の形態６２
本発明の請求項４にかかわる実施の形態を図５２に基づいて説明する。図５２は実施の形態６２にかかわる下水排除システムを示す構成図である。
【０３６４】
図５２において、１１０は遮集管１を流れる下水中の汚濁負荷量の積算値を求めるためのデータ積算手段である積算器であり、信号線９０ａを介して演算器９０と、信号線１１０ａを介してコントローラ１０に接続している。その他の構造は図５１と同様である。
【０３６５】
つぎに動作について説明する。
【０３６６】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０３６７】
該コントローラ１０では、参考例５０などと同様に雨水吐室４から単位時間当たりに越流する汚濁負荷量の積算値ＳＭｐ５に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０３６８】
以上により、参考例６１と同等の効果を奏する。
【０３６９】
参考例６３
参考例６３を図５３に基づいて説明する。図５３は参考例６３にかかわる下水排除システムを示す構成図である。
【０３７０】
図５３において、８３は遮集管１を流れる下水中の流量を計測するための流量計であり、遮集管１に取り付けられている。流量計８３は信号線８３ａを介してコントローラ１０に接続している。その他の構造は図４０と同様である。
【０３７１】
つぎに動作について説明する。
【０３７２】
前記遮集管１を流れる下水の流量Ｑ４１０は流量計８３で計測される。Ｑ４１０は信号線８３ａを介してコントローラ１０に伝えられる。
【０３７３】
該コントローラ１０は、参考例５０と同様に雨水吐室４から単位時間当たりに越流する汚濁負荷量の積算値ＳＭｐ５に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０３７４】
以上により、参考例６１と同等の効果を奏する。
【０３７５】
参考例６４
参考例６４を図５４に基づいて説明する。図５４は参考例６４にかかわる下水排除システムを示す構成図である。
【０３７６】
図５４において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図５３と同様である。
【０３７７】
つぎに動作について説明する。
【０３７８】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０３７９】
該コントローラ１０では、参考例５０などと同様に雨水吐室４から単位時間当たりに越流する汚濁負荷量の積算値ＳＭｐ５に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０３８０】
以上により、参考例６３と同等の効果を奏する。
【０３８１】
参考例６５
参考例６５を図５５に基づいて説明する。図５５は参考例６５にかかわる下水排除システムを示す構成図である。
【０３８２】
図５５において、８３は遮集管１を流れる下水中の流量を計測するための流量計、８４は同じく遮集管１を流れる下水中の汚濁物質濃度、たとえば有機物濃度を計測するための自動水質モニタであり、いずれも遮集管１に取り付けられている。９０は遮集管１を流れる下水中の汚濁負荷量を求めるための演算器であり、信号線８３ａを介して流量計８３に接続するとともに、信号線８４ａを介して自動水質モニタ８４に接続している。演算器９０は信号線９０ａを介してコントローラ１０に接続している。その他の構造は図４２と同様である。
【０３８３】
つぎに動作について説明する。
【０３８４】
前記遮集管１を流れる下水の流量は流量計８３で計測される。また、遮集管１を流れる下水中の汚濁物質濃度、たとえば有機物濃度は自動水質モニタ８４で計測される。演算器９０は前記下水の流量と汚濁物質濃度を乗じることによって遮集管１を流れる下水中の汚濁負荷量Ｍｐ４６を求める。この乗算に必要な下水流量は信号線８３ａを介して、また汚濁物質濃度は信号線８４を介して演算器９０に伝えられる。演算器９０で求めた汚濁負荷量Ｍｐ４６は、信号線９０ａを介してコントローラ１０に伝えられる。
【０３８５】
該コントローラ１０は、参考例５２と同様に河川２中の汚濁負荷量の積算値ＳＭｐ７に応じて雨水吐室４の越流堰高さＨｇを調節するが、遮集管１を流れる下水中の汚濁負荷量Ｍｐ４７が予め定めた上限値Ｍｐ４６＊に達した場合は、越流堰高さＨｇを最低高さＨｌｏｗにまで下げ、下水処理場の負荷を軽減する。
【０３８６】
以上により、参考例５２の効果に加えて、下水処理場の過負荷を確実に防止できるという効果を奏する。
【０３８７】
実施の形態６６
本発明の請求項６にかかわる実施の形態を図５６に基づいて説明する。図５６は実施の形態６６にかかわる下水排除システムを示す構成図である。
【０３８８】
図５６において、１１０は遮集管１を流れる下水中の汚濁負荷量の積算値を求めるためのデータ積算手段である積算器であり、信号線９０ａを介して演算器９０と、信号線１１０ａを介してコントローラ１０に接続している。その他の構造は図５５と同様である。
【０３８９】
つぎに動作について説明する。
【０３９０】
前記遮集管１を流れる下水中の汚濁負荷量の積算値ＳＭｐ４６は積算器１１０で求められる。この演算に必要な単位時間当たりの汚濁負荷量Ｍｐ４６は信号線９０ａを介して演算器９０より求められる。求めた積算値ＳＭｐ４６は信号線１１０ａを介してコントローラ１０に送られる。
【０３９１】
該コントローラ１０では、参考例５２などと同様に河川２中の汚濁負荷量の積算値ＳＭｐ７に応じて雨水吐室４の越流堰高さＨｇを調節するが、遮集管１を流れる下水中の汚濁負荷量の積算値ＳＭｐ４６が予め定めた上限値ＳＭｐ４６＊に達した場合は、越流堰高さＨｇを最低高さＨｌｏｗにまで下げ、下水処理場の負荷を軽減する。
【０３９２】
以上により、参考例６５と同等の効果を奏する。
【０３９３】
参考例６７
参考例６７を図５７に基づいて説明する。図５７は参考例６７にかかわる下水排除システムを示す構成図である。
【０３９４】
図５７において、８３は遮集管１を流れる下水中の流量を計測するための流量計であり、遮集管１に取り付けられている。流量計８３は信号線８３ａを介してコントローラ１０に接続している。その他の構造は図４２と同様である。
【０３９５】
つぎに動作について説明する。
【０３９６】
前記遮集管１を流れる下水の流量Ｑ４１０は流量計８３で計測される。流量Ｑ４１０は信号線８３ａを介してコントローラ１０に伝えられる。
【０３９７】
該コントローラ１０は、参考例５２と同様に河川２中の汚濁負荷量の積算値ＳＭｐ７に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０３９８】
以上により、参考例６５と同等の効果を奏する。
【０３９９】
参考例６８
参考例６８を図５８に基づいて説明する。図５８は参考例６８にかかわる下水排除システムを示す構成図である。
【０４００】
図５８において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図５７と同様である。
【０４０１】
つぎに動作について説明する。
【０４０２】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０４０３】
該コントローラ１０では、参考例５２などと同様に河川２中の汚濁負荷量の積算値ＳＭｐ７に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０４０４】
以上により、参考例６７と同等の効果を奏する。
【０４０５】
参考例６９
参考例６９を図５９に基づいて説明する。図５９は参考例６９にかかわる下水排除システムを示す構成図である。
【０４０６】
図５９において、８３は遮集管１を流れる下水中の流量を計測するための流量計であり、遮集管１に取り付けられている。流量計８３は信号線８３ａを介してコントローラ１０に接続している。その他の構造は図４３と同様である。
【０４０７】
つぎに動作について説明する。
【０４０８】
前記遮集管１を流れる下水の流量Ｑ４１０は流量計８３で計測される。流量Ｑ４１０は信号線８３ａを介してコントローラ１０に伝えられる。
【０４０９】
該コントローラ１０は、参考例５３または３．８ｂと同様に幹線３を流れる下水の流量の積算値ＳＱ８に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０４１０】
以上により、参考例５３の効果に加えて、下水処理場の過負荷を確実に防止できる。
【０４１１】
参考例７０
参考例７０を図６０に基づいて説明する。図６０は参考例７０にかかわる下水排除システムを示す構成図である。
【０４１２】
図６０において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図５９と同様である。
【０４１３】
つぎに動作について説明する。
【０４１４】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めた積算値ＳＱ４１０は信号線１１０ａを介してコントローラ１０に送られる。
【０４１５】
該コントローラ１０では、参考例５３などと同様に幹線３を流れる下水の流量の積算値ＳＱ８に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０４１６】
以上により、参考例６９と同等の効果を奏する。
【０４１７】
参考例７１
参考例７１を図６１に基づいて説明する。図６１は参考例７１にかかわる下水排除システムを示す構成図である。
【０４１８】
図６１において、８３は遮集管１を流れる下水中の流量を計測するための流量計であり、遮集管１に取り付けられている。流量計８３は信号線８３ａを介してコントローラ１０に接続している。その他の構造は図４４と同様である。
【０４１９】
つぎに動作について説明する。
【０４２０】
前記遮集管１を流れる下水の流量Ｑ４１０は流量計８３で計測される。流量Ｑ４１０は信号線８３ａを介してコントローラ１０に伝えられる。
【０４２１】
該コントローラ１０は、参考例５４と同様に雨水吐室４から越流する下水の流量の積算値ＳＱ９に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０４２２】
以上により、参考例５４の効果に加えて、下水処理場の過負荷を確実に防止できる。
【０４２３】
参考例７２
参考例７２を図６２に基づいて説明する。図６２は参考例７２にかかわる下水排除システムを示す構成図である。
【０４２４】
図６２において、１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図６１と同様である。
【０４２５】
つぎに動作について説明する。
【０４２６】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めたＳＱ４１０は信号線１１０ａを介してコントローラ１０に送られる。
【０４２７】
該コントローラ１０では、参考例５４などと同様に雨水吐室４から越流する下水の流量の積算値ＳＱ９に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０４２８】
以上により、参考例７１と同等の効果を奏する。
【０４２９】
参考例７３
参考例７３を図６３に基づいて説明する。図６３は参考例７３にかかわる下水排除システムを示す構成図である。
【０４３０】
図６３において、８３は遮集管１を流れる下水中の流量を計測するための流量計であり、遮集管１に取り付けられている。流量計８３は信号線８３ａを介してコントローラ１０に接続している。その他の構造は図４６と同様である。
【０４３１】
つぎに動作について説明する。
【０４３２】
前記遮集管１を流れる下水の流量Ｑ４１０は流量計８３で計測される。流量Ｑ４１０は信号線８３ａを介してコントローラ１０に伝えられる。
【０４３３】
該コントローラ１０は、参考例５６と同様に河川の流量の積算値ＳＱ１１に応じて雨水吐室４の越流堰高さＨｇを調節するが、遮集管１を流れる下水の流量Ｑ４１０が予め定めた上限値Ｑ４１０＊に達した場合は、越流堰高さＨｇを最低高さＨｌｏｗにまで下げ、下水処理場の負荷を軽減する。
【０４３４】
以上により、参考例５６の効果に加えて、下水処理場の過負荷を確実に防止できる。
【０４３５】
参考例７４
参考例７４を図６４に基づいて説明する。
【０４３６】
１１０は遮集管１を流れる下水流量の積算値を求めるためのデータ積算手段である積算器であり、信号線８３ａを介して流量計８３に接続するとともに、信号線１１０ａを介してコントローラ１０に接続している。その他の構造は図６３と同様である。
【０４３７】
つぎに動作について説明する。
【０４３８】
前記遮集管１を流れる下水流量の積算値ＳＱ４１０は積算器１１０で求められる。この演算に必要な単位時間当たりの流量Ｑ４１０は信号線８３ａを介して演算器８３より求められる。求めたＳＱ４１０は信号線１１０ａを介してコントローラ１０に送られる。
【０４３９】
該コントローラ１０では、参考例５６などと同様に遮集管１を流れる下水の流量の積算値ＳＱ１１に応じて雨水吐室４の越流堰高さＨｇを調節するが、遮集管１を流れる下水流量の積算値ＳＱ４１０が予め定めた上限値ＳＱ４１０＊に達した場合は、越流堰高さＨｇを最低高さＨｌｏｗにまで下げ、下水処理場の負荷を軽減する。
【０４４０】
以上により、参考例７３と同等の効果を奏する。
【０４４１】
なお、これまでの実施の形態および参考例では、時間連続のアナログ式で構成したが、時間不連続のアナログ式（サンプル値式）やデジタル式で構成しても、同等の効果を奏することができる。
【０４４２】
また、これまでの実施の形態および参考例では、制御回路構成を示したが、これを計算機内にプログラム化して実装しても、同等の効果を奏することができる。
【０４４３】
また、これまでの実施の形態および参考例では、制御回路を閉ループで構成したが、動作をオペレータに指示する運転支援システムとして構成することもできる。
【０４４４】
【発明の効果】
以上のように、本発明の請求項１にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限するので、河川水質を悪化させることなく、また下水処理場への流入下水量を増大させることなく雨天時の下水を排除できるという効果を奏する。また、雨水吐室に流入する汚濁負荷量が大きいときは堰が高くなり河川への流出量を減らせ、逆に汚濁負荷量が小さいときは堰が低くなり下水処理場に対する負荷を低減できるので、より精緻に河川への汚濁物質の流出量を制御できるという効果を奏する。また、遮集管を流れる下水中の汚濁負荷量の積算値が予め定めた上限値に達した場合は、越流堰高さを最低高さにまで下げ、下水処理場の負荷を軽減するという効果を奏する。
【０４４５】
本発明の請求項２にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限するので、河川水質を悪化させることなく、また下水処理場への流入下水量を増大させることなく雨天時の下水を排除できるという効果を奏する。また、一定量以上の汚濁負荷は河川に流出しないという効果を奏する。また、遮集管を流れる下水中の汚濁負荷量が予め定めた上限値に達した場合は、越流堰高さを最低高さにまで下げ、下水処理場の負荷を軽減するという効果を奏する。
【０４４６】
本発明の請求項３にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限することができるので、河川水質を悪化させることなく、また下水処理場への流入下水量を増大させることなく雨天時の下水を排除できるという効果を奏する。また、遮集管を流れる下水中の汚濁負荷量の積算値が予め定めた上限値に達した場合は、越流堰高さを最低高さにまで下げ、下水処理場の負荷を軽減するという効果を奏する。
【０４４７】
本発明の請求項４にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限することができるので、河川水質を悪化させることなく、また下水処理場への流入下水量を増大させることなく雨天時の下水を排除できるという効果を奏する。また、遮集管を流れる下水中の汚濁負荷量の積算値が予め定めた上限値に達した場合は、越流堰高さを最低高さにまで下げ、下水処理場の負荷を軽減するという効果を奏する。
【０４４８】
本発明の請求項５にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限するので、河川水質を悪化させることなく、また下水処理場への流入下水量を増大させることなく雨天時の下水を排除できるという効果を奏する。また、河川中の汚濁負荷量が常に一定になるように堰高さを調節できるので、より精緻に河川への汚濁物質の流出量を制御できるという効果を奏する。また、遮集管を流れる下水中の汚濁負荷量の積算値が予め定めた上限値に達した場合は、越流堰高さを最低高さにまで下げ、下水処理場の負荷を軽減するという効果を奏する。
【０４４９】
本発明の請求項６にかかわる下水排除システムは、汚濁物質を多量に含む初期雨水が流入してきた場合は越流堰を上げることにより河川への流出量を制限し、汚濁物質が充分に希釈された下水が流入してきたら河川への放流量を増やし、下水処理場への流入量を制限するので、河川水質を悪化させることなく、また下水処理場への流入下水量を増大させることなく雨天時の下水を排除できるという効果を奏する。また、遮集管を流れる下水中の汚濁負荷量の積算値が予め定めた上限値に達した場合は、越流堰高さを最低高さにまで下げ、下水処理場の負荷を軽減するという効果を奏する。
【図面の簡単な説明】
【図１】  参考例１にかかわる下水排除システムを示す構成図である。
【図２】  参考例３にかかわる下水排除システムを示す構成図である。
【図３】  参考例５にかかわる下水排除システムを示す構成図である。
【図４】  参考例７にかかわる下水排除システムを示す構成図である。
【図５】  参考例９にかかわる下水排除システムを示す構成図である。
【図６】  参考例１１にかかわる下水排除システムを示す構成図である。
【図７】  参考例１３にかかわる下水排除システムを示す構成図である。
【図８】  参考例１４にかかわる下水排除システムを示す構成図である。
【図９】  参考例１６にかかわる下水排除システムを示す構成図である。
【図１０】  参考例１８にかかわる下水排除システムを示す構成図である。
【図１１】  参考例２０による下水排除システムを示す構成図である。
【図１２】  参考例２１にかかわる下水排除システムを示す構成図である。
【図１３】  参考例２３にかかわる下水排除システムを示す構成図である。
【図１４】  本発明の実施の形態２４にかかわる下水排除システムを示す構成図である。
【図１５】  参考例２５にかかわる下水排除システムを示す構成図である。
【図１６】  参考例２６にかかわる下水排除システムを示す構成図である。
【図１７】  参考例２７にかかわる下水排除システムを示す構成図である。
【図１８】  本発明の実施の形態２８にかかわる下水排除システムを示す構成図である。
【図１９】  参考例２９にかかわる下水排除システムを示す構成図である。
【図２０】  参考例３０にかかわる下水排除システムを示す構成図である。
【図２１】  参考例３１にかかわる下水排除システムを示す構成図である。
【図２２】  本発明の実施の形態３２にかかわる下水排除システムを示す構成図である。
【図２３】  参考例３３にかかわる下水排除システムを示す構成図である。
【図２４】  参考例３４にかかわる下水排除システムを示す構成図である。
【図２５】  参考例３５にかかわる下水排除システムを示す構成図である。
【図２６】  参考例３６にかかわる下水排除システムを示す構成図である。
【図２７】  参考例３７にかかわる下水排除システムを示す構成図である。
【図２８】  参考例３８にかかわる下水排除システムを示す構成図である。
【図２９】  参考例３９にかかわる下水排除システムを示す構成図である。
【図３０】  参考例４０にかかわる下水排除システムを示す構成図である。
【図３１】  参考例４１にかかわる下水排除システムを示す構成図である。
【図３２】  参考例４２にかかわる下水排除システムを示す構成図である。
【図３３】  参考例４３にかかわる下水排除システムを示す構成図である。
【図３４】  参考例４４にかかわる下水排除システムを示す構成図である。
【図３５】  参考例４５にかかわる下水排除システムを示す構成図である。
【図３６】  参考例４６にかかわる下水排除システムを示す構成図である。
【図３７】  参考例４７にかかわる下水排除システムを示す構成図である。
【図３８】  参考例４８にかかわる下水排除システムを示す構成図である。
【図３９】  参考例４９にかかわる下水排除システムを示す構成図である。
【図４０】  参考例５０にかかわる下水排除システムを示す構成図である。
【図４１】  参考例５１にかかわる下水排除システムを示す構成図である。
【図４２】  参考例５２にかかわる下水排除システムを示す構成図である。
【図４３】  参考例５３にかかわる下水排除システムを示す構成図である。
【図４４】  参考例５４にかかわる下水排除システムを示す構成図である。
【図４５】  参考例５５にかかわる下水排除システムを示す構成図である。
【図４６】  参考例５６にかかわる下水排除システムを示す構成図である。
【図４７】  本発明の実施の形態５７にかかわる下水排除システムを示す構成図である。
【図４８】  参考例５８にかかわる下水排除システムを示す構成図である。
【図４９】  参考例５９にかかわる下水排除システムを示す構成図である。
【図５０】  参考例６０にかかわる下水排除システムを示す構成図である。
【図５１】  参考例６１にかかわる下水排除システムを示す構成図である。
【図５２】  本発明の実施の形態６２にかかわる下水排除システムを示す構成図である。
【図５３】  参考例６３にかかわる下水排除システムを示す構成図である。
【図５４】  参考例６４にかかわる下水排除システムを示す構成図である。
【図５５】  参考例６５にかかわる下水排除システムを示す構成図である。
【図５６】  本発明の実施の形態６６にかかわる下水排除システムを示す構成図である。
【図５７】  参考例６７にかかわる下水排除システムを示す構成図である。
【図５８】  参考例６８にかかわる下水排除システムを示す構成図である。
【図５９】  参考例６９にかかわる下水排除システムを示す構成図である。
【図６０】  参考例７０にかかわる下水排除システムを示す構成図である。
【図６１】  参考例７１にかかわる下水排除システムを示す構成図である。
【図６２】  参考例７２にかかわる下水排除システムを示す構成図である。
【図６３】  参考例７３にかかわる下水排除システムを示す構成図である。
【図６４】  参考例７４にかかわる下水排除システムを示す構成図である。
【図６５】  従来の下水排除システムを示す構成図である。
【図１】
0004549470.tif 000002
【図２】
0004549470.tif 000003
【図３】
0004549470.tif 000004
【図４】
0004549470.tif 000005
【図５】
0004549470.tif 000006
【図６】
0004549470.tif 000007
【図７】
0004549470.tif 000008
【図８】
0004549470.tif 000009
【図９】
0004549470.tif 000010
【図１０】
0004549470.tif 000011
【図１１】
0004549470.tif 000012
【図１２】
0004549470.tif 000013
【図１３】
0004549470.tif 000014
【図１４】
0004549470.tif 000015
【図１５】
0004549470.tif 000016
【図１６】
0004549470.tif 000017
【図１７】
0004549470.tif 000018
【図１８】
0004549470.tif 000019
【図１９】
0004549470.tif 000020
【図２０】
0004549470.tif 000021
【図２１】
0004549470.tif 000022
【図２２】
0004549470.tif 000023
【図２３】
0004549470.tif 000024
【図２４】
0004549470.tif 000025
【図２５】
0004549470.tif 000026
【図２６】
0004549470.tif 000027
【図２７】
0004549470.tif 000028
【図２８】
0004549470.tif 000029
【図２９】
0004549470.tif 000030
【図３０】
0004549470.tif 000031
【図３１】
0004549470.tif 000032
【図３２】
0004549470.tif 000033
【図３３】
0004549470.tif 000034
【図３４】
0004549470.tif 000035
【図３５】
0004549470.tif 000036
【図３６】
0004549470.tif 000037
【図３７】
0004549470.tif 000038
【図３８】
0004549470.tif 000039
【図３９】
0004549470.tif 000040
【図４０】
0004549470.tif 000041
【図４１】
0004549470.tif 000042
【図４２】
0004549470.tif 000043
【図４３】
0004549470.tif 000044
【図４４】
0004549470.tif 000045
【図４５】
0004549470.tif 000046
【図４６】
0004549470.tif 000047
【図４７】
0004549470.tif 000048
【図４８】
0004549470.tif 000049
【図４９】
0004549470.tif 000050
【図５０】
0004549470.tif 000051
【図５１】
0004549470.tif 000052
【図５２】
0004549470.tif 000053
【図５３】
0004549470.tif 000054
【図５４】
0004549470.tif 000055
【図５５】
0004549470.tif 000056
【図５６】
0004549470.tif 000057
【図５７】
0004549470.tif 000058
【図５８】
0004549470.tif 000059
【図５９】
0004549470.tif 000060
【図６０】
0004549470.tif 000061
【図６１】
0004549470.tif 000062
【図６２】
0004549470.tif 000063
【図６３】
0004549470.tif 000064
【図６４】
0004549470.tif 000065
【図６５】
0004549470.tif 000066